(57)【要約】【課題】磁気カードやＩＣカードを使用者に送付する際、カードとカード貼付用台紙とのマッチングに用いるマッチングキーをカードに印字して、台紙からカードを取り去る際にマッチングキーもカードから取り去ることができるカード付き台紙およびこれを用いたカードと台紙のマッチング方法を提供すること。【解決手段】カード付き台紙が、台紙とカードとが印字用シールを介して貼り合わされ、前記印字用シールと前記台紙との接着力が、印字用シールとカードとの接着力よりも大きいことを特徴とする。また、マッチング方法は、カード上に印字用シールを貼り付けた後マッチングキーを印字する工程と、カードと台紙に対してマッチングキーによるマッチングを行う工程と、カードと台紙とを両面テープを介して貼り合わせる工程を含む。【選択図】図３
2011011485.tif 000002
【特許請求の範囲】
【請求項１】
台紙とカードとが印字用シールを介して貼り合わされてなり、
前記印字用シールと前記台紙との接着力が、前記印字用シールと前記カードとの接着力よりも大きいことを特徴とするカード付き台紙。
【請求項２】
台紙と印字用シールとが両面テープを介して貼り合わされてなり、
前記台紙と前記両面テープとの接着力および前記印字用シールと前記両面テープとの接着力が、前記印字用シールと前記カードとの接着力よりも大きいことを特徴とする、
前記請求項１に記載のカード付き台紙。
【請求項３】
前記印字用シールに設けられた接着層が再剥離性を有することを特徴とする、
請求項１または２に記載のカード付き台紙。
【請求項４】
カード上に印字用シールを貼り付ける工程と、
前記印字用シールにマッチングキーを印字する工程と、
前記カードおよび台紙に対してマッチングキーによるマッチングを行う工程と、
前記カードと前記台紙とを両面テープを介して貼り合わせる工程を含み、
かつ、前記両面テープの接着力が前記印字用シールの接着力よりも大きくなるように、それぞれの接着力を選択する手段を有することを特徴とする、
カードと台紙のマッチング方法。
【請求項５】
印字用シールにマッチングキーを印字する工程と、
カード上に前記マッチングキーが印字された前記印字用シールを貼り付ける工程と、
前記カードおよび台紙に対してマッチングキーによるマッチングを行う工程と、
前記カードと前記台紙とを両面テープを介して貼り合わせる工程と、
前記両面テープの接着力が前記印字用シールの接着力よりも大きくなるように、それぞれの接着力を選択する手段を有することを特徴とする、
カードと台紙のマッチング方法。
【請求項６】
前記印字用シールに設けられた接着層が再剥離性を有することを特徴とする、
請求項４または５に記載のカードと台紙のマッチング方法。
【発明の詳細な説明】
【技術分野】
【０００１】
本発明は、磁気カードやＩＣカードなどの電子情報記録カードをカード貼付用台紙に添付して送付する際のカード付き台紙、およびカードと台紙のマッチング方法に関する。
【背景技術】
【０００２】
従来、クレジットカードやキャッシュカードなどの金融系カード、あるいは社員証や会員証・学生証などのＩＤカード、さらにポイントカードやプリペイドカードなどの個人取引カード等の各種カードが多方面にわたって使われている。カード発行者側からこれらのカードの使用者・申込者へ渡す場合には、通常はこれらのカードを封筒に封入して、郵便にて送付することが一般的であった。
【０００３】
郵便による送付の際は、カードを使用者側が受け取るまでに郵送中の事故や取り扱い不注意によって破損や折り曲げなどにより使用不能となるような不具合を防止するため、所定のカード用台紙に貼り付けて封入することが一般的である。ただしこの際、このカードに登録された使用者または申込者と、郵送先とが間違いなく一致していなければならない。もしカードの情報と台紙の情報が違っていた場合には、使用者が気付かず他人のカードを使用してしまうなどの重大な問題が発生してしまうからである。
【０００４】
そのため、カードを台紙に貼り付ける際には、カード内に記憶された電子情報と台紙上に表示された情報とが同一の使用者または申込者を示していることを照合し検査する作業（以下、マッチングという）が必要になる。
【０００５】
以下にカードと台紙とをマッチングし、カードを台紙に貼り付けて送付するまでの一般的な工程の一例を示す。
【０００６】
まず、カード添付用台紙にはカード使用者の住所・氏名・郵便番号、あるいは会員登録番号等のＩＤ情報を印字しておく。送付するカードは、そのカードに記憶された情報をカードリーダ装置を用いて読み取り、ディスプレー画面にその情報を表示する。ここで使用者の氏名、住所、および会員登録番号など必要なＩＤ情報をカードから読み取り、前記台紙に印字されたＩＤ情報と目視照合、またはマッチング装置により照合する。照合の結果、情報が間違いなく一致すれば合格として、このカードを台紙に貼り付け、カード付台紙を所定の封筒に封入し、郵送により送付する。
【０００７】
その際カードには、カード使用者のＩＤ情報をカード表面に印字またはエンボス加工などにより目視で確認できるように表示する場合が多い。また、詳細なＩＤ情報や暗証番号などは、磁気カードであれば磁気メモリ部に、またはＩＣカードであればＩＣチップ内のＩＣメモリ部等のカード媒体のメモリ部に記録している。
【０００８】
前記マッチング装置を用いて照合を行う場合は、カードに記録されたＩＤ情報と、カード添付用台紙のＩＤ情報とを、マッチング装置を用いて機械的にマッチングさせ、カードの記録情報とカード添付用台紙の表示情報とが確実に合致することを確認する。マッチング装置を用いる利点はその処理速度の速さと照合の確実性であり、近年はカードの発行枚数が膨大であるため、一般にマッチング装置が用いられるようになっている。
【０００９】
前記のようにマッチングの際に用いるカード使用者の氏名住所、生年月日、会員番号などのＩＤ情報を、マッチングキーと呼ぶ。発行されたカードのマッチングキー情報は、前記カードを利用するシステムの管理用データベースにすべて保管され、運用管理がなされ
る。カードの新規発行・回収処分・変更処理等、必要な場合にこの管理用データベースの情報を用いて追加・抽出・修正・更新等が行われる。
【００１０】
マッチング装置を用いて照合する際に、もしも前記カードと前記台紙の情報が不一致であった場合、確実に検出されて適正な処置がされなければならない。
しかしながら、マッチングキーとしてカード使用者の住所・氏名や生年月日等を使用する場合に、確実な照合を行う上で問題となることがあった。例えば、同姓同名の使用者がいる場合や氏名の読みが正しくない場合、あるいは住所表記が完全には一致せず微妙に異なる場合（漢字、平仮名の表記違いや番地の表現など）など、内容的には正しい情報ではあっても重複の問題や表記の仕方が異なるために完全に一致しない問題が発生することが考えられる。
【００１１】
また、台紙に印字する情報として、カードの送付先の住所・氏名は必ずしもカードのＩＤ情報、すなわちカードの使用者と一致するとは限らない。例えば、カードの使用者が学生であれば、その保護者がカードの申込者となる場合がありうる。その場合は、カードの申込者と使用者とは住所が異なることがあり、したがって送付先が異なることがありうる。
【００１２】
このとき、カード添付用台紙に表示された送付先の住所とカードの記録部に記録させた使用者のＩＤ情報とは一致しないので、マッチングを行なうと不一致になってしまうという問題がある。また、氏名だけでは同姓同名の場合もあるので、これも確実とはいえない。
【００１３】
さらに、前記マッチング処理において、カードの記憶媒体に記録されたＩＤ情報は人間が目視で確認できないので、マッチングの際にもしも機械の読取りミスがあったとしても、これをチェックすることができないという問題がある。
【００１４】
このような問題に対して近年は、マッチングキーとして前記のようなＩＤ情報をそのまま使わず、記号変換（エンコード）処理して一見意味不明な英数字の羅列とするか、もしくは乱数を用いることが提唱されている。この場合、カード使用者の氏名・住所・会員登録番号等を入力し、適切な記号化処理アルゴリズムを用いてエンコードすればマッチングキーが得られる。その際に情報量を圧縮するアルゴリズムを用いることもできる。
【００１５】
これにより、カードとその使用者とが１対１で対応付けることが容易かつ確実にでき、かつ単純な英数字あるいは記号のみを用いることによって、マッチングにおける機械読み取りエラーが減り、マッチングが精度良くできるという効果もある。
【００１６】
近年、カードの発行数は膨大な数に上り、それに伴いカードの利用者も飛躍的に増加している。このため、大量のカードを一度に発行することが多くなっており、これらのカードを送付する場合にも前記のようなマッチング処理がすべて必要になる。
このような場合には当然、機械により自動化した連続処理を行うことになり、前記のカードと台紙のマッチングから台紙貼り付け、カードの送付までの工程を自動化したラインで処理するが、この際に問題が起きることがある。
【００１７】
例えば、カード搬送装置に何らかの動作不具合が発生して、カードを台紙に貼付し封筒に封入する際にカードに対して台紙が１枚づつずれて添付されてしまった場合には、台紙に印字された送付先の住所・氏名・郵便番号と、カードに記録されたＩＤ情報とが異なる使用者のものとなってしまい、本来の送り先と異なって郵送してしまうという重大な事故が起こる危険性がある。
【００１８】
前記のような自動化処理の際の問題に対して、下記特許文献１（特開２０００−６７１
７８号公報）では、前記マッチングにおいて、もしもカードと台紙の印字情報とが異なる利用者のものであるという結果が示された場合には、直ちにカードと台紙の進行処理を停止してそれ以降の処理進行を停止し、マッチングの間違いを確認し修正して正確な郵送処理を行うことのできるＩＣカードマッチング装置が提案されている。
【００１９】
しかしながら、上記のいずれの場合でも、マッチングキーはカードおよび台紙の両方にそのまま残っていた。本来、マッチングキーはマッチング処理のときのみ必要な情報であり、カードが使用者の元に届いてからはまったく不要であるにも関わらず、カードに直接印字されているためにそのまま使用しなければならず、様々なカードの問題点や制約が生じる場合があった。
【００２０】
例えばＩＣカードにおいて、そのデザイン上、カードにマッチングキーのための印字スペースがほとんど空けられない場合には、マッチングキーを入れるためだけに磁気テープを挿入して、エンコードしたマッチングキーを磁気テープに記録したりする負担がかかっていた。
【００２１】
また、マッチングキーの印字は、精度良く機械読み取りができるようにある程度以上の文字の大きさや文字幅の制限がある一方で、カードの印字スペース内に収まるようにしなければならず、マッチングキーを印字することが困難な場合があった。
【先行技術文献】
【特許文献】
【００２２】
【特許文献１】特開２０００−６７１７８号公報
【発明の概要】
【発明が解決しようとする課題】
【００２３】
本発明は上記のような問題点を解決するためになされたものであり、カードとカード貼付用台紙とのマッチングの際に用いるマッチングキーをカードに印字して、台紙からカードを取り去る際にマッチングキーもカードから取り去ることができるカード付き台紙およびこれを用いたカードと台紙のマッチング方法を提供することを目的とする。
【課題を解決するための手段】
【００２４】
上記の課題を解決するために、請求項１の発明に係るカード付き台紙は、台紙とカードとが印字用シールを介して貼り合わされてなり、前記印字用シールと前記台紙との接着力が、前記印字用シールと前記カードとの接着力よりも大きいことを特徴とする。
【００２５】
また、請求項２の発明に係るカード付き台紙は、台紙と印字用シールとが両面テープを介して貼り合わされてなり、前記台紙と前記両面テープとの接着力および前記印字用シールと前記両面テープとの接着力が、前記印字用シールと前記カードとの接着力よりも大きいことを特徴とする。
【００２６】
また、請求項３の発明に係るカード付き台紙は、前記印字用シールに設けられた接着層が再剥離性を有することを特徴とする。
【００２７】
また、請求項４の発明に係るカードと台紙のマッチング方法は、カード上に印字用シールを貼り付ける工程と、前記印字用シールにマッチングキーを印字する工程と、前記カードと台紙に対してマッチングキーによるマッチングを行う工程と、前記カードと前記台紙とを両面テープを介して貼り合わせる工程を含み、かつ、前記両面テープの接着力が前記印字用シールの接着力よりも大きくなるように、それぞれの接着力を選択する手段を有することを特徴とする。
【００２８】
また、請求項５の発明に係るカードと台紙のマッチング方法は、印字用シールにマッチングキーを印字する工程と、カード上に前記マッチングキーが印字された前記印字用シールを貼り付ける工程と、前記カードと台紙に対してマッチングキーによるマッチングを行う工程と、前記カードと前記台紙とを両面テープを介して貼り合わせる工程と、前記両面テープの接着力が前記印字用シールの接着力よりも大きくなるように、それぞれの接着力を選択する手段を有することを特徴とする。
【００２９】
また、請求項６の発明に係るカードと台紙のマッチング方法は、前記印字用シールに設けられた接着層が再剥離性を有することを特徴とする。
【発明の効果】
【００３０】
本発明のカード付き台紙、およびこれを用いたカードと台紙のマッチング方法によれば、カードにマッチングキーを印字する際にカードデザインの制約にとらわれず印字スペースを確保でき、さらにカードを添付用台紙から取り去る際にマッチングキーも取り去ることができる。これにより、マッチングキーのカード内での印字位置などを考慮する必要も無くなるため、カードデザインの自由度が増し、得意先に対して幅広い要望に応えることができる。
【００３１】
さらにカード加工工程においても、マッチングキーを入れるために磁気テープを挿入する等の必要がなくなり、加工工程の負担が大幅に軽減できる。
【図面の簡単な説明】
【００３２】
【図１】本発明のカード付き台紙においてカードの構成を説明するための図である。
【図２】本発明のカード付き台紙においてカードの構成を説明するための図である。
【図３】本発明のカード付き台紙の構成と、カードと台紙のマッチング方法を説明するための図である。
【図４】本発明のカード付き台紙の使用例を説明するための図である。
【図５】本発明のカード付き台紙の製造工程と、カードと台紙のマッチング方法を説明するためのフローチャート図である。
【発明を実施するための形態】
【００３３】
以下、本発明に係るカード付き台紙とカードと台紙のマッチング方法の実施の形態を、図面に基づいて詳細に説明する。
【実施例】
【００３４】
図１は、本発明のカード付き台紙において、カード表面にマッチングキーを印字したシールを貼り付けた状態を表す図である。カード１は本発明のカード付き台紙に使用し、さらにカードと台紙をマッチングするために準備されるカードであり、カードの利用目的に応じてＩＣカードあるいは磁気カードのいずれでも適用できる。まず目的のカードおよびカード添付用の台紙は必要枚数だけ準備するが、ここでは説明を簡単にするため、カードは１枚のみとして記述する。
【００３５】
まず最初に、カード１とマッチングキーの印字用シール２がそれぞれ準備される。カード１には、カード使用者のＩＤ情報等のカードごとに固有の情報はまだ記録されていない。また、前記印字用シール２は一方の面が印字可能な表面になっており、他方の面は接着剤を塗布した接着層を備えている。そしてカード１の所定の位置に、印字用シール２を前記接着層を介して接着して貼り付ける。印字用シール２は、カード使用者のＩＤ情報に対応するマッチングキーを印字するためのシールであるが、この段階ではまだマッチングキーは印字されていない。
【００３６】
図１において、前記印字用シール２はカード１の所定の位置に貼り付けるが、このシールの貼付位置および向きは、マッチング装置によるマッチング作業が可能な位置であればよく、通常はカード裏面の中央付近におく。前記印字用シール２は、最終的にはカード貼付用の台紙４からカード１を剥がして取り出す際に、台紙側に移ってカード側には残らないようにするので（詳細は後述する）、この印字用シールのためにカードに特定のスペースを設けておく必要がなく、したがって基本的にはカードのどの位置にシールを貼り付けても構わない。ただし、台紙に貼り付けた際にカードの表面が見えるようにするため、通常はカードの裏面側にシールを貼り付ける。
【００３７】
前記印字用シール２の大きさは、マッチングキー３の印字に必要な面積に合わせて決めることができる。必要な面積は、その情報量とマッチング装置の印字読み取り部の仕様（読み取りに必要な最小印字サイズ、読み取り解像度などにより決まる）に合わせて決められる。マッチングキーは、カード仕様者のＩＤ情報をそのまま使用してもよいが、個人情報の保護や情報量の圧縮等を考えた場合には、適切な記号化処理アルゴリズムを用いて前記ＩＤ情報をエンコードしたものをマッチングキーとすることができる。
【００３８】
なお、マッチングキーはエンコード処理された英数字列や記号列を用いることができるが、１次元／２次元バーコードを用いることもできる。または、別のデータベースに所定の変換対応表または暗号対応表を作成しておき、これらの対応表をもとにＩＤ情報を変換する方法もありうる。要するに、カードの使用者とカードおよびマッチングキーとが１対１で対応し、かつ重複することがないようにすればよい。
【００３９】
図２は、本発明において、カード発行機を用いて前記マッチングキー印字用シール２にマッチングキー３を印字する工程を表す図である。前記カード１をカード発行機にセットして発行処理を実行すると、このカードを使用可能にするために必要なデータの書込みがなされ、さらに前記印字用シール２に、マッチングキー３が印字される。この段階で、カード１にはカード使用者のＩＤ情報や各種データがエンコード記録されており、必要な場合には情報保護用の暗号鍵情報も書き込まれる。
【００４０】
また、カード発行機はカード発行管理用データベースのサーバがネットワーク等のインターフェースを介して接続されており、このデータベースから前記カードに記録する各種データが抽出されてカード発行機に出力され、このカード発行機によって、カード使用者のＩＤ情報を含む前記各種データのカードへの印字およびデータの記録がなされる。
【００４１】
この際、前記マッチングキー３も他の各種データと同様に前記カード発行管理用データベースから抽出されたものであって、カード発行機にてマッチングキーの印字用シール２に印字されるので、カード１に記録された情報と前記印字用シール２に印字された情報とは、同一のカード使用者のデータを用いたものになる。ただし、印字されたマッチングキー３は前述のようにエンコード処理された英数字列などに変換され、情報内容は同じでも見かけ上は情報が異なっているようにすることがある。
【００４２】
図３は、本発明において、カードと台紙のマッチングおよび貼り付けを行う工程を表す図である。まず、カード貼付用の台紙４があらかじめ用意され、この台紙には、郵送用の送付先を示す情報として住所・氏名・郵便番号・会員登録番号等が所定の位置に印字されている。これらの情報は前記カード管理用データベースから抽出された情報であり、情報源としては前記カード１に記録されたデータおよび前記マッチングキーと同じものである。
【００４３】
ただし、台紙は前記カード発行機とは別の印刷機によりあらかじめ印字されたものであ
り、カードと台紙とは異なるラインで準備されるため、この段階でマッチングを行ってカードと台紙とを照合する必要がある。
【００４４】
カード貼付用の台紙４の送付先情報は封筒の窓部（開口部）にあたる位置に印字されており、この台紙を封筒に封入した際に、この窓部から送付先を視認して読み取れるようになっている。また、カード貼付用の台紙４の所定の位置に、マッチングキー３’が印字されている。このマッチングキー３’は、前記印字シール２に印字されたマッチングキー３と同一内容とする。
【００４５】
同一内容であることを確認するために、前記カード１と前記台紙４とをマッチング装置に載置し、前記マッチングキー３およびマッチングキー３’をマッチング装置が読み取ってマッチングする。このとき、もしマッチングキー３と３’とが不一致であった場合には、カードと台紙とが対応していないとして警告を発して所定の異常処置を行い、一致している場合には、以降の工程に進む。
【００４６】
ここで、カードを台紙に貼り付けるための両面シール５をあらかじめ用意しておく。前記マッチングによりカードと台紙のマッチングキーが一致していることが確認された後、この両面シール５を前記カード１上の印字用シール２の上に貼る。そして両面シール５を介して、カード１を台紙４の所定の位置に貼り付ける。このような工程により作製したカード付き台紙を郵送用の封筒に封入した後、カードの使用者の元に送付する。
【００４７】
前記両面シール５は両面に接着剤が塗布され接着層を備えたものである。前記印字シール２の接着層をＡ、両面シールと印字用シールとの間の接着層をＢ、両面シールと台紙との間の接着層をＣとする。このとき、ＢおよびＣの接着力は、Ａよりも大きくする。
【００４８】
すなわち、両面シールの両側の接着力はいずれも、印字用シールの接着力よりも大きくする。ただし、両面シール５の両面の接着力どうしは、互いに同等でもよいし、多少の差異があってもよいが、その差はわずかなものとするのが望ましい。
【００４９】
前記接着層の接着力の差は、台紙や印字用シールの材質強度や、手でカードを剥がす際に必要な力を考慮して決めればよい。具体的には、同一条件で測定した剥離強度を比較したとき、前記両面シール５の剥離強度が前記印字用シール２のそれに対して２倍以上の値になる程度の差があることが望ましいが、これに限定するものではない。
【００５０】
また、接着による剥離強度は、上記のような場合においては使用する接着剤の特性の他に、カードやシールの表面性状（微細な凹凸や素材の特性などが影響する）や貼り合わせ時の条件（圧着時の圧力や温度、湿度等）により変化することがありうるので、安定した接着性能を示すような条件下で接着を行うようにする。
【００５１】
図４は、台紙からカードを取り出す工程を説明する図である。カード使用者の元にカードが送付され、カード付き台紙からカードを剥がして取り出す際に、カードと台紙の間にある前記印字シール２および両面シール５は台紙側に接着して残り、カード側には残らない。すなわちカードだけが取り出される。このことは、前記の通りカードと印字シールの間の層の接着力が他の層の接着力よりも小さいため、そのようにできるのである。
【００５２】
なお、前記印字用シールの接着層の接着剤は、カードを剥がした際に接着剤の一部が剥がれてカード側に残らないよう、きれいに剥がせる再剥離性の高い接着剤または粘着剤を用いてもよい。
【００５３】
図５は、以上で説明した工程をフローチャートで示した図である。前記図１〜図３の説
明ではカードが１枚のみの手順を説明するものであったが、実際には大量のカードを連続して処理する必要が生じる。その場合には、それぞれの工程ごとに必要枚数を連続して処理し、効率よく行うことが可能である。
【００５４】
マッチング装置が連続処理が可能な機構を備える場合には、前記カード貼付用台紙は複数の台紙がつながった連続帳票を用いることができ、その状態でまとめてマッチングキーを印字しておき、マッチング装置に複数枚のカードと台紙とをセットして、マッチング後にそれぞれの台紙を切り離してカードを貼り付けることができる。
【００５５】
本発明のカード付き台紙とカードと台紙のマッチング方法を実施するにあたって、必要なシステムとしては、カード発行管理用データベースサーバと管理用端末、カード発行機、マッチング装置がそれぞれ接続された構成が基本的なものである。前記カード発行管理用データベースサーバはカード発行者が管理運用するサーバであり、カード発行に関わる情報を蓄積して管理する。
【００５６】
カード発行管理用データベースサーバは、個別のカードの各種情報（カードの用途・種類・データフォーマット、および決済情報等）を選択して抽出し、さらに顧客（ここではカード使用者に相当）の情報を参照して、カードの目的に応じたマッチングキーを発行することができる。
【００５７】
なお、本発明は上記の実施形態に限定されるものでなく、カードの種類や台紙の形態、マッチング装置、システム構成内容を含めて、その目的に応じた構成について適宜実施することができる。
【産業上の利用可能性】
【００５８】
本発明に係るカード付き台紙、カードと台紙のマッチング方法によれば、磁気カードや接触型／非接触型ＩＣカード、複合型ＩＣカード等の多様なカードにおいて、自由なカードデザインを適用することが可能となる。
【符号の説明】
【００５９】
１  ・・・カード
２  ・・・印字用シール
３  ・・・マッチングキー
３’・・・マッチングキー
４  ・・・台紙
５  ・・・両面シール
【図１】
2011011485.tif 000003
【図２】
2011011485.tif 000004
【図３】
2011011485.tif 000005
【図４】
2011011485.tif 000006
【図５】
2011011485.tif 000007